(57)【要約】【課題】容器本体の口部に対する吐出具の着脱の際に、装着キャップの回転操作を容易化した吐出具、及び吐出容器を提供する。【解決手段】本発明は、容器本体１０の口部１２に設けられた雄ねじ１３に螺合する雌ねじ３５を有する装着筒部３１を備え、口部１２に着脱可能に装着される装着キャップ３０と、装着キャップ３０によって口部１２に保持されるポンプ４０と、ポンプ４０の駆動により容器本体１０に収容された内容物を外部に吐出する吐出口５３と、を備える吐出具２０であって、装着筒部３１は、装着筒部３１の周方向において雌ねじ３５が設けられたねじ領域Ｘと、雌ねじ３５が設けられていない間欠領域Ｙとを有し、間欠領域Ｙに、装着筒部の径方向内側に弾性変形可能な薄肉部３６が形成されている。【選択図】図１
2019119471.tif 000002
【特許請求の範囲】
【請求項１】
容器本体の口部に設けられた雄ねじに螺合する雌ねじを有する装着筒部を備え、前記口部に着脱可能に装着される装着キャップと、
該装着キャップによって前記口部に保持されるポンプと、
前記ポンプの駆動により前記容器本体に収容された内容物を外部に吐出する吐出口と、を備える吐出具であって、
前記装着筒部は、該装着筒部の周方向において前記雌ねじが設けられたねじ領域と、前記雌ねじが設けられていない間欠領域とを有し、
前記間欠領域に、前記装着筒部の径方向内側に弾性変形可能な薄肉部が形成されている、吐出具。
【請求項２】
前記装着キャップは、前記装着筒部の周方向に間隔を空けて設けられた複数の前記薄肉部を有する、請求項１に記載の吐出具。
【請求項３】
前記薄肉部は、前記装着筒部の内周面に設けられた内側凹部、及び、前記装着筒部の外周面に設けられた外側凹部の少なくとも何れかにより形成されている、請求項１または２に記載の吐出具。
【請求項４】
前記装着キャップは、前記装着筒部の外周面に設けられた外側凹部の縁部に形成される段差状の指掛け部を有する、請求項１〜３の何れか一項に記載の吐出具。
【請求項５】
前記装着筒部には、前記薄肉部の上方及び下方の少なくとも何れかに、前記薄肉部よりも肉厚が厚い補強部が設けられている、請求項１〜４の何れか一項に記載の吐出具。
【請求項６】
内容物の収容空間を区画形成する容器本体と、
前記容器本体の口部に装着された請求項１〜５の何れか一項に記載の吐出具と、を備える、吐出容器。
【発明の詳細な説明】
【技術分野】
【０００１】
本発明は、内容物を収容する容器本体の口部に保持され、容器本体内の内容物を吐出口から吐出するための吐出具、及び当該吐出具を備えた吐出容器に関する。
【背景技術】
【０００２】
従来、洗剤、化粧料、または食品等の内容物を収容する容器本体と、容器本体の口部に装着されて内容物を外部に吐出する吐出具とを備えた様々な形態の吐出容器が用いられている。
【０００３】
例えば特許文献１には、容器本体の口部に着脱可能にねじ結合する装着キャップ（ベースキャップ）と、装着キャップによって口部の内側に保持されるポンプと、当該ポンプの上部に設けられた押下げヘッドとを備え、押下げヘッドの押し下げ操作によりポンプを駆動して内容物を吐出口から吐出可能とされた吐出具が提案されている。
【０００４】
上記のような吐出具を容器本体に保持するための装着キャップは、中央に開口が形成された頂壁と、頂壁の外縁部から垂下する円筒状の装着筒部を備え、装着筒部の内周面には、口部に設けられた雄ねじ部に螺合する雌ねじ部が設けられている。
【先行技術文献】
【特許文献】
【０００５】
【特許文献１】特開２００４−１２１８８９号公報
【発明の概要】
【発明が解決しようとする課題】
【０００６】
ところで、例えば内容物を使い切った後で、容器本体に新たな内容物を詰め替える際には、吐出具を容器本体の口部から一時的に取り外す必要がある。その際、装着キャップの外周面を把持して螺脱方向に回転させることによって、当該装着キャップと共にポンプ及び押下げヘッドを口部から取り外すことができる。
【０００７】
しかしながら、装着キャップの外周面は円筒状であり、また、場合によっては内容物が当該装着キャップの外周面に付着して滑り易くなっていることもあるため、装着キャップを回転させて取り外すことが困難になる虞がある。
【０００８】
それゆえ本発明は、容器本体の口部に対する吐出具の着脱の際に、装着キャップの回転操作を容易化した吐出具、及び吐出容器を提供することを目的とする。
【課題を解決するための手段】
【０００９】
本発明は上記課題を解決するためになされたものであり、本発明の吐出具は、容器本体の口部に設けられた雄ねじに螺合する雌ねじを有する装着筒部を備え、前記口部に着脱可能に装着される装着キャップと、
該装着キャップによって前記口部に保持されるポンプと、
前記ポンプの駆動により前記容器本体に収容された内容物を外部に吐出する吐出口と、を備える吐出具であって、
前記装着筒部は、該装着筒部の周方向において前記雌ねじが設けられたねじ領域と、前記雌ねじが設けられていない間欠領域とを有し、
前記間欠領域に、前記装着筒部の径方向内側に弾性変形可能な薄肉部が形成されていることを特徴とするものである。
【００１０】
なお、本発明の吐出具は、前記装着キャップは、前記装着筒部の周方向に間隔を空けて設けられた複数の前記薄肉部を有することが好ましい。
【００１１】
また、本発明の吐出具は、前記薄肉部は、前記装着筒部の内周面に設けられた内側凹部、及び、前記装着筒部の外周面に設けられた外側凹部の少なくとも何れかにより形成されていることが好ましい。
【００１２】
また、本発明の吐出具は、前記装着キャップは、前記装着筒部の外周面に設けられた外側凹部の縁部に形成される段差状の指掛け部を有することが好ましい。
【００１３】
また、本発明の吐出具は、前記装着筒部には、前記薄肉部の上方及び下方の少なくとも何れかに、前記薄肉部よりも肉厚が厚い補強部が設けられていることが好ましい。
【００１４】
また、本発明の吐出容器は、内容物の収容空間を区画形成する容器本体と、
前記容器本体の口部に装着された上記の何れかの吐出具と、を備えることを特徴とするものである。
【発明の効果】
【００１５】
本発明によれば、容器本体の口部に対する吐出具の着脱の際に、装着キャップの回転操作を容易化した吐出具、及び吐出容器を提供することができる。
【図面の簡単な説明】
【００１６】
【図１】本発明の一実施形態に係る吐出容器の、側面視における部分断面図である。
【図２Ａ】図１の吐出容器における装着キャップのみを半部を断面で示す側面図である。
【図２Ｂ】図２Ａの装着キャップの底面図である。
【図３Ａ】装着キャップの変形例において、半部を断面で示す側面図である。
【図３Ｂ】図３Ａの装着キャップの底面図である。
【図４Ａ】装着キャップの他の変形例において、半部を断面で示す側面図である。
【図４Ｂ】図４Ａの装着キャップの底面図である。
【図５Ａ】装着キャップの他の変形例において、半部を断面で示す側面図である。
【図５Ｂ】図５Ａの装着キャップの底面図である。
【発明を実施するための形態】
【００１７】
以下、図１〜図３を参照して、本発明の一実施形態に係る吐出容器１について詳細に例示説明する。なお、本明細書において上方及び下方とは、それぞれ、図１に示すように容器本体１０を起立させ、装着キャップ３０を取り付けた状態での上方及び下方を意味するものであり、容器本体１０の胴部１１に対して口部１２が位置する側（図１における上方）を上方、逆側（図１における下方）を下方とする。
【００１８】
図１に示すように、本実施形態に係る吐出容器１は、容器本体１０と、吐出具２０とを備える。容器本体１０は、内容物を収容する収容空間Ｓを形成する有底筒状の胴部１１と、胴部１１の上部に連なる円筒状の口部１２とを有するボトル状を成し、口部１２の外周面には、雄ねじ１３が形成されている。なお、口部１２に装着キャップ３０を着脱可能であれば、容器本体１０の形状は特に限定されない。
【００１９】
吐出具２０は、装着キャップ３０と、ポンプ４０と、吐出口５３を有する押下げヘッド５０とを備える。図１に示す吐出具２０の装着キャップ３０を単独で図２Ａ、図２Ｂに示す。なお、図２Ａは、装着キャップ３０の右側の半部のみを断面図で示している。
【００２０】
装着キャップ３０は、円筒状の装着筒部３１と、装着筒部３１の上部に連なる内向きフランジ３２と、内向きフランジ３２の内周縁部から起立するガイド筒部３３と、内向きフランジ３２の内周縁部から垂下する環状の垂下部３４と、を備える。ガイド筒部３３は、後述する押下げヘッド５０の接続筒部５１の外周面を取り囲んでいる。またガイド筒部３３の内周面には、接続筒部５１の外周面とガイド筒部３３の内周面との隙間を封止するためのシール片３３ａが設けられている。
【００２１】
装着筒部３１の内周面には、口部１２の雄ねじ１３に螺合する雌ねじ３５が設けられている。雌ねじ３５は、装着筒部３１の周方向における少なくとも一部が間欠するように設けられている。すなわち、装着筒部３１は、周方向において雌ねじ３５が設けられたねじ領域Ｘと、雌ねじ３５が設けられていない間欠領域Ｙとを有する。
【００２２】
図２Ｂに示すように、本例では、周方向における４箇所にねじ領域Ｘが均等に配置されている。周方向に隣接するねじ領域Ｘの間に間欠領域Ｙが配置されており、４つの間欠領域Ｙが周方向に均等に配置されている。
【００２３】
間欠領域Ｙには、装着筒部３１における他の部分（ねじ領域Ｘを含む）と比較して肉厚が薄くなっている薄肉部３６が設けられている。本例において、薄肉部３６は、装着筒部３１の内周面に設けられた内側凹部３７と、外周面に設けられた外側凹部３８とによって形成されている。
【００２４】
薄肉部３６は、装着筒部３１の径方向内側に弾性変形可能に構成されており、装着筒部３１の外周面側から薄肉部３６を押圧すると、当該薄肉部３６が径方向内側に弾性変形することとなる。このような構成により、口部１２に対して装着キャップ３０を着脱する際に、薄肉部３６を内側に押し込むように装着キャップ３０を把持することで、薄肉部３６が径方向内側に弾性変形して指が掛かり易くなり、装着キャップ３０を回転させる際の滑りを防止することができる。特に、径の大きい泡吐出容器等の装着キャップの場合、本願構造は有効である。
【００２５】
また、装着筒部３１に薄肉部３６を設けたことにより、装着キャップ３０の軽量化を図ることができるので、材料コストも低減することができる。
【００２６】
薄肉部３６は、装着筒部３１の周方向において、少なくとも１箇所に設けられていればよいが、指を掛けられる部分が複数箇所にあることで滑りを防止する効果を発揮し易くなるため、周方向に間隔を空けて複数箇所に設けられていることが好ましい。また、薄肉部３６の位置、形状及び大きさは特に限定されない。
【００２７】
内側凹部３７は、正面視で略矩形状に形成されており、装着筒部３１の下端から内向きフランジ３２まで延在している。外側凹部３８は、装着筒部３１の周方向に延在する上下の縁部と、軸方向に平行な左右の縁部とを有する正面視で略矩形状となっている。内側凹部３７及び外側凹部３８の形状は図示例に限られず、適宜変更可能である。
【００２８】
外側凹部３８の左右の縁部には、段差状の指掛け部３８ａが形成されている。これにより、口部１２に対して装着キャップ３０を着脱する際に、指掛け部３８ａに指を掛けることができるので、装着キャップ３０を回転させる際の滑りをより確実に抑制することができる。
【００２９】
また、本例の外側凹部３８は、装着筒部３１の高さ方向（上下方向）の中間部に形成されており、外側凹部３８の上下にそれぞれ、薄肉部３６よりも肉厚が厚い上側補強部３８ｂと下側補強部３８ｃが設けられている。このように装着筒部３１には、薄肉部３６の上方及び下方の少なくとも何れかに、薄肉部３６よりも肉厚が厚い補強部（上側補強部３８ｂ、下側補強部３８ｃ）が設けられていることが好ましい。これにより、装着筒部３１の過度の強度低下を抑制することができ、薄肉部３６近傍の塑性変形等を防止することができる。
【００３０】
ポンプ４０は、装着キャップ３０の内側で、口部１２に保持される。ポンプ４０は、装着キャップ３０の内側において、口部１２から収容空間Ｓ内に垂下されるシリンダ部材４１を備える。シリンダ部材４１は、収容空間Ｓ内の内容物を下端開口から取り込む吸引管４２に連なる小径筒部４１ａと、小径筒部４１ａの上方に連なる大径筒部４１ｂと、大径筒部４１ｂの上端部から外側に延在する環状のフランジ部４１ｃと、を備える。
【００３１】
小径筒部４１ａの内側には、その内面に摺動可能な液用ピストン４３と、この液用ピストン４３を弾性支持するスプリング４４と、先端に弁体を有するポペット４５と、液用ピストン４３の上部に接続される中空ステム４６と、が配置されており、これによって、内容物の吸引、加圧、排出機構を構成している。中空ステム４６の上部には、収容空間Ｓから小径筒部４１ａ内を介して送出された内容物と、外部から大径筒部４１ｂ内を介して導入された空気とが合流する混合室Ｒが区画形成されている。
【００３２】
また、大径筒部４１ｂには、中空ステム４６の外周側に保持され、大径筒部４１ｂの内周面に摺動可能な空気用ピストン４７が配置されており、これによって、空気の吸引、加圧、排出機構を構成している。空気用ピストン４７には、吸気の際にのみ開口する弁体４８が設けられている。なお、フランジ部４１ｃは、管状のシール部材４９（パッキン）を介して口部１２の上端と内向きフランジ３２の間に挟持されている。
【００３３】
押下げヘッド５０は、中空ステム４６の上部に接続される接続筒部５１と、接続筒部５１の上方に連なり、前方に突出するノズル部５２とを備える。ノズル部５２の先端開口が吐出口５３を構成している。
【００３４】
押下げヘッド５０の接続筒部５１の内側には、ジェットリング５４及び発泡部材５５が配置されている。また、接続筒部５１の内側下部において、中空ステム４６の上部に設けられた環状の弁座部４６ａに載置されたボール弁体５６によって逆止弁が構成されている。
【００３５】
押下げヘッド５０を押下げることにより、吐出容器１から内容物を泡状に吐出することができる。押下げヘッド５０を押下げると、下降した液用ピストン４３によって小径筒部４１ａ内の内容物が加圧され、中空ステム４６の内側の内容物流路を通過してボール弁体５６を押し上げて混合室Ｒ内に流れ込む。また、これと同時に、押下げヘッド５０を押下げたことにより下降した空気用ピストン４７によって、大径筒部４１ｂ内の空気が加圧され、空気の通路を介して混合室Ｒ内に流れ込む。大径筒部４１ｂ内から混合室Ｒまでの空気の通路は、中空ステム４６の外周面と、空気用ピストン４７の内周面及び接続筒部５１の内周面との間の隙間、並びに、ジェットリング５４の下部外周面と、中空ステム４６の上部内周面との間の隙間等により構成される。なお、このようなポンプ４０の構造は適宜変更可能である。
【００３６】
混合室Ｒにおいて内容物と空気は混合されて泡状となり、さらに発泡部材５５を通過してきめ細かい泡状となった内容物が、ノズル部５２を介して吐出口５３から吐出される。押下げヘッド５０の押圧を解除すると、スプリング４４に付勢されて、液用ピストン４３、空気用ピストン４７及び押下げヘッド５０は上昇して元の位置に戻る。液用ピストン４３の上昇に伴い、小径筒部４１ａ内には収容空間Ｓから吸引管４２を介して吸い上げられた内容物が再び充填される。同様に、空気用ピストン４７の上昇に伴い、大径筒部４１ｂ内には、空気（外気）が導入される。なお、このような吸気時の空気の流路（吸気流路）は、装着筒部３１の内周面と口部１２の外周面との間に形成される隙間、フランジ部４１ｃの上端と内向きフランジ３２の下面との間の隙間、空気用ピストン４７の上方の空間、空気用ピストン４７に形成された孔４７ａ等で構成され、吸気の際には弁体４８が開く。
【００３７】
本例では、装着筒部３１の内周面に、雌ねじ３５が設けられていない間欠領域Ｙを設けているため、装着筒部３１の内周面と口部１２の外周面との間に充分な大きさの隙間が形成されており、これにより、装着筒部３１の内周面と口部１２の外周面との間の隙間を介した吸気をスムーズに行うことができる。
【００３８】
図３Ａ、３Ｂ、図４Ａ、４Ｂ、及び図５Ａ、５Ｂは、本発明の変形例を示している。図３Ａ、３Ｂの装着キャップ１３０は、先の実施形態における外側凹部３８を設けておらず、薄肉部３６を内側凹部３７のみで形成した形態を示している。この場合、装着キャップ３０の外部から薄肉部３６の位置が確認できるように、目印となる縦リブ３９を設けることが好ましい。縦リブ３９は、装着筒部３１の外周面から突出し、軸方向に平行となるように直線状に延在する形状とすることができる。この場合、縦リブ３９は、装着キャップ３０を着脱する際に指を掛けることで、滑りを抑制する機能も有する。なお、このような、薄肉部３６の位置を確認するための目印は、図３Ａ、３Ｂに示す縦リブ３９に限らず、他の形状の突起もしくは溝としてもよいし、あるいは、印刷等により装着キャップ３０の外表面に設けた記号や文字等の表示部としてもよい。
【００３９】
図４Ａ、４Ｂの装着キャップ２３０は、外側凹部３８が装着筒部３１の上端まで延びているものである。このような構成とすることで、外側凹部３８の上方にアンダーカットが形成されないため、金型で成形する際の離型が容易となる。
【００４０】
図５Ａ、５Ｂの装着キャップ３３０は、外側凹部３８が装着筒部３１の下端から上端まで延びているものである。このような構成とすることで、外側凹部３８の上方及び下方にアンダーカットが形成されないため、金型で成形する際の離型が容易となる。
【００４１】
前述したところは、本発明の一実施形態を示したにすぎず、特許請求の範囲において、種々の変更を加えることができる。例えば、ガイド筒部３３にシール片３３ａを設けずに、接続筒部５１の外周面とガイド筒部３３の内周面との隙間を介して、大径筒部４１ｂ内に外気を導入する構成としてもよい。
【００４２】
また、先の実施形態では押下げヘッド５０の押し下げ操作によって、内容物を吐出する構成としたが、これに限られず、軸部を支点に揺動可能な操作レバーの牽曳操作によってポンプを駆動させて内容物を吐出する構成としてもよい。また、先の実施形態では装着キャップ３０の内側にポンプ４０が設けられていたが、装着キャップの外側にポンプが配置されていてもよい。さらに、内容物の吐出形態は、泡状に限らず、液状、スプレー状、又はシャワー状等としてもよく、吐出形態を切り替える構成を吐出口に設けてもよい。
【符号の説明】
【００４３】
１：吐出容器
１０：容器本体
１１：胴部
１２：口部
１３：雄ねじ
２０：吐出具
３０：装着キャップ
３１：装着筒部
３２：内向きフランジ
３３：ガイド筒部
３３ａ：シール片
３４：垂下部
３５：雌ねじ
３６：薄肉部
３７：内側凹部
３８：外側凹部
３８ａ：指掛け部
３８ｂ：上側補強部（補強部）
３８ｃ：下側補強部（補強部）
３９：縦リブ
４０：ポンプ
４１：シリンダ部材
４１ａ：小径筒部
４１ｂ：大径筒部
４１ｃ：フランジ部
４２：吸引管
４３：液用ピストン
４４：スプリング
４５：ポペット
４６：中空ステム
４６ａ：弁座部
４７：空気用ピストン
４７ａ：孔
４８：弁体
４９：シール部材
５０：押下げヘッド
５１：接続筒部
５２：ノズル部
５３：吐出口
５４：ジェットリング
５５：発泡部材
５６：ボール弁体
Ｒ：混合室
Ｓ：収容空間
Ｘ：ねじ領域
Ｙ：間欠領域
【図１】
2019119471.tif 000003
【図２Ａ】
2019119471.tif 000004
【図２Ｂ】
2019119471.tif 000005
【図３Ａ】
2019119471.tif 000006
【図３Ｂ】
2019119471.tif 000007
【図４Ａ】
2019119471.tif 000008
【図４Ｂ】
2019119471.tif 000009
【図５Ａ】
2019119471.tif 000010
【図５Ｂ】
2019119471.tif 000011